(57)【要約】【課題】操作容易性が向上されると共に、無音検知の際の誤検出率を低下することが可能な、音声無音検知装置を提供すること。【解決手段】音声信号を受信する音声信号受信部と、前記音声信号受信部が前記音声信号を受信しているか否かを判断する無信号検知部と、前記音声信号が無音状態を示すか否かを検知する無音検知部と、前記無信号検知部が無信号を検知した際、又は前記無音検知部が無音状態を検知した際は、警報を生成する警報生成部とを備える音声無音検知装置であって、番組送出装置から放送状態情報を受信する放送状態情報受信部と、ラウドネス装置から受信するラウドネス情報に含まれるモーメンタリー情報を検知するモーメンタリー情報検知部と、前記番組状態情報と前記モーメンタリー情報とに基づき、前記無音検知部が前記無音状態の判断に用いる閾値を計算し、該閾値を前記無音検知部に送信する閾値計算部と、を備える。【選択図】図１
2018056762.tif 000002
【特許請求の範囲】
【請求項１】
音声信号を受信する音声信号受信部と、前記音声信号受信部が前記音声信号を受信しているか否かを判断する無信号検知部と、前記音声信号が無音状態を示すか否かを検知する無音検知部と、前記無信号検知部が無信号を検知した際、又は前記無音検知部が無音状態を検知した際は、警報を生成する警報生成部とを備える音声無音検知装置であって、
番組送出装置から放送状態情報を受信する放送状態情報受信部と、
ラウドネス装置から受信するラウドネス情報に含まれるモーメンタリー情報を検知するモーメンタリー情報検知部と、
前記放送状態情報と前記モーメンタリー情報とに基づき、前記無音検知部が前記無音状態の判断に用いる閾値を計算し、該閾値を前記無音検知部に送信する閾値計算部と、
を備えることを特徴とする音声無音検知装置。
【請求項２】
請求項１に記載の音声無音検知装置であって、
番組終了時には、前記閾値計算部が、前記閾値を初期化することを特徴とする、音声無音検知装置。
【請求項３】
請求項１又は２に記載の音声無音検知装置であって、
番組送出装置から受信する番組が放送時になく、かつ、前記閾値が初期値にない場合は、前記閾値計算部が、前記閾値を初期化することを特徴とする、音声無音検知装置。
【請求項４】
請求項１乃至３のいずれか１項に記載の音声無音検知装置であって、
前記閾値計算部が、前記モーメンタリー情報に基づき、前記番組送出装置からの音声の送出状態を予測することを特徴とする、音声無音検知装置。
【請求項５】
請求項１乃至４のいずれか１項に記載の音声無音検知装置であって、
前記モーメンタリー情報検知部は、前記ラウドネス装置から前記ラウドネス情報を、番組の放送時にリアルタイムで受信し、該ラウドネス情報に含まれる前記モーメンタリー情報を検知することを特徴とする、音声無音検知装置。
【請求項６】
請求項１乃至４のいずれか１項に記載の音声無音検知装置であって、
前記モーメンタリー情報検知部は、前記ラウドネス装置から受信した前記ラウドネス情報を記憶部に保存し、保存した該ラウドネス情報に含まれる前記モーメンタリー情報を検知することを特徴とする、音声無音検知装置。
【請求項７】
請求項１乃至６のいずれか１項に記載の音声無音検知装置であって、
前記閾値計算部は、前記無音検知部による、無音検知時間が一定時間を超えたか否かの判断に用いる、第２の閾値を計算し、該第２の閾値を前記無音検知部に送信することを特徴とする、音声無音検知装置。
【請求項８】
音声信号を受信する音声信号受信部と、前記音声信号受信部が前記音声信号を受信しているか否かを判断する無信号検知部と、前記音声信号が無音状態を示すか否かを検知する無音検知部と、前記無信号検知部が無信号を検知した際、又は前記無音検知部が無音状態を検知した際は、警報を生成する警報生成部とを備える音声無音検知装置が実施する音声無音検知方法であって、
番組送出装置から放送状態情報を受信するステップと、
ラウドネス装置から受信するラウドネス情報に含まれるモーメンタリー情報を検知するステップと、
前記放送状態情報と前記モーメンタリー情報とに基づき、前記無音検知部が前記無音状態の判断に用いる閾値を計算し、該閾値を前記無音検知部に送信するステップと、
を有することを特徴とする音声無音検知方法。
【請求項９】
コンピュータを、音声信号を受信する音声信号受信部と、前記音声信号受信部が前記音声信号を受信しているか否かを判断する無信号検知部と、前記音声信号が無音状態を示すか否かを検知する無音検知部と、前記無信号検知部が無信号を検知した際、又は前記無音検知部が無音状態を検知した際は、警報を生成する警報生成部とを備える音声無音検知装置として機能させるための音声無音検知プログラムであって、
番組送出装置から放送状態情報を受信し、
ラウドネス装置から受信するラウドネス情報に含まれるモーメンタリー情報を検知し、
前記放送状態情報と前記モーメンタリー情報とに基づき、前記無音検知部が前記無音状態の判断に用いる閾値を計算し、該閾値を前記無音検知部に送信するための音声無音検知プログラム。
【請求項１０】
番組送出装置と、
ラウドネス装置と、
前記番組送出装置から放送状態情報を受信し、前記ラウドネス装置からラウドネス情報を受信する、請求項１乃至７のいずれか１項に記載の音声無音検知装置とを備える音声無音検知システム。
【発明の詳細な説明】
【技術分野】
【０００１】
本発明は、音声無音検知装置、音声無音検知方法、音声無音検知プログラム、及び音声無音検知システムに関する。とりわけ、放送局のマスターシステム及びサブシステムにて放送の送出状態を自動監視するための、音声無音検知装置、音声無音検知方法、音声無音検知プログラム、及び音声無音検知システムに関する。
【背景技術】
【０００２】
例えば、特許文献１に記載のように、従来の無音検知装置では、音声がある一定のレベル以下となった場合、無音状態であると判定している。その際に、無音状態を判定する閾値は、機器設置時に固定値として設定し、当該固定値を継続的に使用する方法が一般的である。
【先行技術文献】
【特許文献】
【０００３】
【特許文献１】特開２００５−５７６８２号公報
【発明の概要】
【発明が解決しようとする課題】
【０００４】
しかし、従来方式の無音検知装置では、例えばクラシック音楽放送中の場合等のように、放送が正常であっても音声レベルが閾値を下回る状態が存在し、放送が正常状態であるにもかかわらず、無音状態と判定することにより、アラームを誤発報する問題等が存在する。
【０００５】
また、上記のアラームの誤発報の抑止のため、誤発報を発生しやすい番組を送出している時に、ＡＰＳ（自動番組送出装置）等からの外部制御により、無音検知抑止を実施することが可能である。しかし、この場合、アラームを完全に抑止しているため、検出すべき無音状態となってもアラームを発報しない問題が発生する。また、逐次、無音検知機能を制御する必要があるため、例えば、緊急ニュース送出等の番組編成変更時の操作が容易ではないという問題が存在する。
【０００６】
そこで、本発明は、操作容易性が向上されると共に、無音検知の際の誤検出率を低下することが可能な、音声無音検知装置、音声無音検知方法、音声無音検知プログラム、及び音声無音検知システムを提供することを目的とする。
【課題を解決するための手段】
【０００７】
本発明の第１の観点によれば、音声信号を受信する音声信号受信部と、前記音声信号受信部が前記音声信号を受信しているか否かを判断する無信号検知部と、前記音声信号が無音状態を示すか否かを検知する無音検知部と、前記無信号検知部が無信号を検知した際、又は前記無音検知部が無音状態を検知した際は、警報を生成する警報生成部とを備える音声無音検知装置であって、番組送出装置から放送状態情報を受信する放送状態情報受信部と、ラウドネス装置から受信するラウドネス情報に含まれるモーメンタリー情報を検知するモーメンタリー情報検知部と、前記放送状態情報と前記モーメンタリー情報とに基づき、前記無音検知部が前記無音状態の判断に用いる閾値を計算し、該閾値を前記無音検知部に送信する閾値計算部と、を備えることを特徴とする音声無音検知装置が提供される。
【０００８】
本発明の第２の観点によれば、音声信号を受信する音声信号受信部と、前記音声信号受信部が前記音声信号を受信しているか否かを判断する無信号検知部と、前記音声信号が無音状態を示すか否かを検知する無音検知部と、前記無信号検知部が無信号を検知した際、又は前記無音検知部が無音状態を検知した際は、警報を生成する警報生成部とを備える音声無音検知装置が実施する音声無音検知方法であって、番組送出装置から放送状態情報を受信するステップと、ラウドネス装置から受信するラウドネス情報に含まれるモーメンタリー情報を検知するステップと、前記放送状態情報と前記モーメンタリー情報とに基づき、前記無音検知部が前記無音状態の判断に用いる閾値を計算し、該閾値を前記無音検知部に送信するステップと、を有することを特徴とする音声無音検知方法が提供される。
【０００９】
本発明の第３の観点によれば、コンピュータを、音声信号を受信する音声信号受信部と、前記音声信号受信部が前記音声信号を受信しているか否かを判断する無信号検知部と、前記音声信号が無音状態を示すか否かを検知する無音検知部と、前記無信号検知部が無信号を検知した際、又は前記無音検知部が無音状態を検知した際は、警報を生成する警報生成部とを備える音声無音検知装置として機能させるための音声無音検知プログラムであって、番組送出装置から放送状態情報を受信し、ラウドネス装置から受信するラウドネス情報に含まれるモーメンタリー情報を検知し、前記放送状態情報と前記モーメンタリー情報とに基づき、前記無音検知部が前記無音状態の判断に用いる閾値を計算し、該閾値を前記無音検知部に送信するための音声無音検知プログラムが提供される。
【００１０】
本発明の第４の観点によれば、番組送出装置と、ラウドネス装置と、前記番組送出装置から放送状態情報を受信し、前記ラウドネス装置からラウドネス情報を受信する、上記の音声無音検知装置とを備える音声無音検知システムが提供される。
【発明の効果】
【００１１】
本発明によれば、操作容易性が向上されると共に、無音検知の際の誤検出率を低下することが可能な、音声無音検知装置、音声無音検知方法、音声無音検知プログラム、及び音声無音検知システムを提供することが可能となる。
【図面の簡単な説明】
【００１２】
【図１】本発明の実施形態に係る音声無音検知装置の構成を示す図である。
【図２】本発明の実施形態に係る音声無音検知方法のフローを示す図である。
【発明を実施するための形態】
【００１３】
以下、本発明の実施形態について、図１及び図２を参照しながら、詳述する。
【００１４】
図１は、本発明の実施形態に係る音声無音検知装置の構成を示す。音声無音検知装置１０は、音声信号受信部１０１と、無信号検知部１０２と、無音検知部１０３と、警報生成部１０４と、放送状態情報受信部１０５と、モーメンタリー情報検知部１０６とを含む。
【００１５】
音声信号受信部１０１は、本線ラインから音声信号を受信し、受信した音声信号を、後述の無信号検知部１０２に送信する。具体的には、音声信号受信部１０１がＡＥＳ信号を受信した場合は、当該ＡＥＳ信号をそのまま、後述の無信号検知部１０２に送信する。音声信号受信部１０１が、アナログ信号を受信した場合は、デジタル信号に変換した上で、後述の無信号検知部１０２に送信する。音声信号受信部１０１が、ＳＤＩ（シリアルデジタルインターフェース）を用いて、デジタル映像とデジタル音声とが結合された信号を受信した場合は、デマルチプレクサを更に用いて、当該信号から音声信号を分離し、後述の無信号検知部１０２に送信する。
【００１６】
無信号検知部１０２は、音声信号受信部１０１から受信した音声信号の音声データ、延いては本線ラインから音声無音検知装置１０に入力される音声データ等を監視し、入力信号が無信号状態となっているか否かを検知する。無信号状態となっていない場合は、音声信号受信部１０１から受信した音声信号を、後述の無音検知部１０３に送信する。無信号状態となっている場合は、後述の警報生成部１０４に警報生成指示を送信する。
【００１７】
無音検知部１０３は、無信号検知部１０２から受信した音声信号のレベルが、無音判定用の閾値を下回った無音検知時間を測定し、当該無音検知時間が一定の時間を超えた場合、後述の警報生成部１０４に警報生成指示を送信する。
【００１８】
警報生成部１０４は、無信号検知部１０２が無信号状態を検知した場合に、無信号検知部１０２から受信する警報生成指示に基づき、警報を生成する。更に、警報生成部１０４は、無音検知部１０３が無音状態を検知した場合に、無音検知部１０３から受信する警報生成指示に基づき、警報を生成する。
【００１９】
放送状態情報受信部１０５は、音声無音検知装置１０の外部に存在するＡＰＳ（自動番組送出装置）２０から、放送状態情報、例えば、現時点で、番組終了時か、か、放送終了時か、を示す情報を受信し、当該放送状態情報を、後述の閾値計算部１０７に送信する。
【００２０】
モーメンタリー情報検知部１０６は、音声無音検知装置１０の外部に存在するラウドネス装置３０から、放送中の番組のラウドネス情報を受信し、当該ラウドネス情報に含まれるモーメンタリー情報を検知する。更に、モーメンタリー情報検知部１０６は、当該モーメンタリー情報を、後述の閾値計算部１０７に送信する。
【００２１】
なお、モーメンタリー情報とは、ラウドネス情報の中で、直近４００ｍｓの音のラウドネス値を示す情報である。具体的には、本線ラインに送出される音声は、基本的には制作段階で、一定のラウドネス値となるよう処理が加えられているが、この処理の際に、番組素材のどのタイミングにどのような処理結果になるかということが記録されているのが、モーメンタリー情報である。更に、本発明におけるモーメンタリー情報は、番組放送中、まさにこれから送出される音声についての情報である。
【００２２】
また、モーメンタリー情報検知部１０６は、上記のラウドネス装置３０から、ラウドネス情報を、番組の生放送時にリアルタイムで受信し、このラウドネス情報に含まれるモーメンタリー情報を検知してもよい。一方で、収録番組の場合は、番組の制作段階にラウドネス測定をした上で、図示しない記憶部にラウドネス情報を保存し、番組送出時に、記憶部に保存したラウドネス情報に含まれるモーメンタリー情報を検知し、その変化を解析してもよい。
【００２３】
閾値計算部１０７は、放送状態情報受信部１０５から放送状態情報を、モーメンタリー情報検知部１０６からモーメンタリー情報を受信し、双方の情報に基づいて、無音検知部１０３が無音状態の判断に用いる閾値を初期化、又は、再計算する。更に、閾値計算部１０７は、初期化された閾値、又は、再計算された閾値を、無音検知部１０３に送信する。
【００２４】
次に、図２を参照しながら、音声無音検知装置１０の動作フローについて、閾値計算部１０７の動作を中心に説明する。
【００２５】
ステップＳ１において、閾値計算部１０７が、無音検知部１０３で用いられる無音判定用の閾値を初期化する。
【００２６】
ステップＳ２において、閾値計算部１０７が、放送状態情報受信部１０５から受信した放送状態情報に基づき、現時点が、番組終了時か否か判定する。番組終了時ではない場合は、ステップＳ３に移行する。番組終了時である場合は、ステップＳ６に移行する。
【００２７】
ステップＳ３において、閾値計算部１０７が、放送状態情報受信部１０５から受信した放送状態情報に基づき、番組送出状態を判定する。現時点が、放送時である場合は、ステップＳ４に移行する。現時点が放送時以外である場合は、ステップＳ７に移行する。
【００２８】
ステップＳ４において、閾値計算部１０７が、モーメンタリー情報検知部１０６から受信したモーメンタリー情報に基づき、音声の送出状態を予測し、無音検知部１０３で用いる無音判定用の閾値を計算する。
【００２９】
ステップＳ５において、閾値計算部１０７が、計算された閾値を無音検知部１０３に送信する。その後、ステップＳ１に戻る（リターン）。
【００３０】
ステップＳ６において、閾値計算部１０７が、無音検知部１０３で用いる無音判定用の閾値を初期化する。その後、ステップＳ１に戻る（リターン）。
【００３１】
ステップＳ７において、閾値計算部１０７が、無音検知部１０３で設定されている閾値が、初期値か、閾値計算部１０７による再計算を経て変更済みの値かを判定する。初期値である場合は、ステップＳ１に戻る（リターン）。変更済みのものである場合は、ステップＳ８に移行する。
【００３２】
ステップＳ８において、閾値計算部１０７が、無音検知部１０３で設定されている閾値を初期化し、ステップＳ１に戻る（リターン）。
【００３３】
〔本実施形態の効果〕
上記のように、本発明の実施形態は、無音検知の閾値を固定値として使用するのでなく、初期値として閾値を設定した後、入力される音声状態をモーメンタリー情報から解析し、逐次、閾値を変更する。具体的には、本発明の無音検知装置の中に、入力素材のモーメンタリー情報をもとに閾値計算を実施するユニットを実装する。更に、本発明は、ラウドネス情報の中のモーメンタリー情報を事前に解析することにより、番組の音の変化を想定し無音検知のための閾値を常に最適な値とする機能を備える。
【００３４】
本実施形態の音声無音検知装置においては、無音検知のための閾値が放送内容に合わせて自動で変動するため、どのような番組状態であっても自動で対応可能となる。そのため、無音検知時のアラーム抑止等の逐次処理を、操作担当者が実施する必要がなくなり、操作が容易となる。更に、番組内容に応じた無音検知のための閾値が、繰り返し計算されるため、無音状態を誤検出することによるアラーム発報の抑止を実現できる。これにより、精度の高い無音検知を実施することが可能となる。
【００３５】
上記の音声無音検知装置は、ハードウェア、ソフトウェア又はこれらの組み合わせによりそれぞれ実現することができる。また、上記の音声無音検知装置により行なわれる音声無音検知方法も、ハードウェア、ソフトウェア又はこれらの組み合わせにより実現することができる。ここで、ソフトウェアによって実現されるとは、コンピュータがプログラムを読み込んで実行することにより実現されることを意味する。
【００３６】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory）)を含む。
【００３７】
また、上述した実施形態は、本発明の好適な実施形態ではあるが、上記実施形態のみに本発明の範囲を限定するものではなく、本発明の要旨を逸脱しない範囲において種々の変更を施した形態での実施が可能である。
【００３８】
例えば、以下のように各実施形態を変形することが可能である。
【００３９】
〔変形例〕
上記の実施形態においては、閾値計算部１０７が、無音検知部１０３で用いる無音判定用の閾値を、初期化したり、再計算したりした。これに加えて、無音検知部１０３は、無音検知時間が一定の時間を超えた場合、後述の警報生成部１０４に警報生成指示を送信するが、この無音検知時間が一定の時間を超えたか否かを判定するための、第２の閾値を、閾値計算部１０７が計算し、無音検知部１０３に送信してもよい。
【００４０】
上記の実施形態の一部又は全部は、以下の付記のようにも記載されうるが、以下には限られない。
【００４１】
（付記１）
音声信号を受信する音声信号受信部と、前記音声信号受信部が前記音声信号を受信しているか否かを判断する無信号検知部と、前記音声信号が無音状態を示すか否かを検知する無音検知部と、前記無信号検知部が無信号を検知した際、又は前記無音検知部が無音状態を検知した際は、警報を生成する警報生成部とを備える音声無音検知装置であって、
番組送出装置から放送状態情報を受信する放送状態情報受信部と、
ラウドネス装置から受信するラウドネス情報に含まれるモーメンタリー情報を検知するモーメンタリー情報検知部と、
前記放送状態情報と前記モーメンタリー情報とに基づき、前記無音検知部が前記無音状態の判断に用いる閾値を計算し、該閾値を前記無音検知部に送信する閾値計算部と、
を備えることを特徴とする音声無音検知装置。
【００４２】
（付記２）
付記１に記載の音声無音検知装置であって、
番組終了時には、前記閾値計算部が、前記閾値を初期化することを特徴とする、音声無音検知装置。
【００４３】
（付記３）
付記１又は２に記載の音声無音検知装置であって、
番組送出装置から受信する番組が放送時になく、かつ、前記閾値が初期値にない場合は、前記閾値計算部が、前記閾値を初期化することを特徴とする、音声無音検知装置。
【００４４】
（付記４）
付記１乃至３のいずれか１に記載の音声無音検知装置であって、
前記閾値計算部が、前記モーメンタリー情報に基づき、前記番組送出装置からの音声の送出状態を予測することを特徴とする、音声無音検知装置。
【００４５】
（付記５）
付記１乃至４のいずれか１に記載の音声無音検知装置であって、
前記モーメンタリー情報検知部は、前記ラウドネス装置から前記ラウドネス情報を、番組の放送時にリアルタイムで受信し、該ラウドネス情報に含まれる前記モーメンタリー情報を検知することを特徴とする、音声無音検知装置。
【００４６】
（付記６）
付記１乃至４のいずれか１に記載の音声無音検知装置であって、
前記モーメンタリー情報検知部は、前記ラウドネス装置から受信した前記ラウドネス情報を記憶部に保存し、保存した該ラウドネス情報に含まれる前記モーメンタリー情報を検知することを特徴とする、音声無音検知装置。
【００４７】
（付記７）
付記１乃至６のいずれか１に記載の音声無音検知装置であって、
前記閾値計算部は、前記無音検知部による、無音検知時間が一定時間を超えたか否かの判断に用いる、第２の閾値を計算し、該第２の閾値を前記無音検知部に送信することを特徴とする、音声無音検知装置。
【００４８】
（付記８）
音声信号を受信する音声信号受信部と、前記音声信号受信部が前記音声信号を受信しているか否かを判断する無信号検知部と、前記音声信号が無音状態を示すか否かを検知する無音検知部と、前記無信号検知部が無信号を検知した際、又は前記無音検知部が無音状態を検知した際は、警報を生成する警報生成部とを備える音声無音検知装置が実施する音声無音検知方法であって、
番組送出装置から放送状態情報を受信するステップと、
ラウドネス装置から受信するラウドネス情報に含まれるモーメンタリー情報を検知するステップと、
前記放送状態情報と前記モーメンタリー情報とに基づき、前記無音検知部が前記無音状態の判断に用いる閾値を計算し、該閾値を前記無音検知部に送信するステップと、
を有することを特徴とする音声無音検知方法。
【００４９】
（付記９）
コンピュータを、音声信号を受信する音声信号受信部と、前記音声信号受信部が前記音声信号を受信しているか否かを判断する無信号検知部と、前記音声信号が無音状態を示すか否かを検知する無音検知部と、前記無信号検知部が無信号を検知した際、又は前記無音検知部が無音状態を検知した際は、警報を生成する警報生成部とを備える音声無音検知装置として機能させるための音声無音検知プログラムであって、
番組送出装置から放送状態情報を受信し、
ラウドネス装置から受信するラウドネス情報に含まれるモーメンタリー情報を検知し、
前記放送状態情報と前記モーメンタリー情報とに基づき、前記無音検知部が前記無音状態の判断に用いる閾値を計算し、該閾値を前記無音検知部に送信するための音声無音検知プログラム。
【００５０】
（付記１０）
番組送出装置と、
ラウドネス装置と、
前記番組送出装置から放送状態情報を受信し、前記ラウドネス装置からラウドネス情報を受信する、付記１乃至７のいずれか１に記載の音声無音検知装置とを備える音声無音検知システム。
【産業上の利用可能性】
【００５１】
本発明は、放送局のマスターシステム、及びサブシステムにおいて放送の送出状態を自動監視する音声無音検知装置に好適である。
【符号の説明】
【００５２】
１０  音声無音検知装置
２０  ＡＰＳ（自動番組送出装置）
３０  ラウドネス装置
１０１  音声信号受信部
１０２  無信号検知部
１０３  無音検知部
１０４  警報生成部
１０５  放送状態情報受信部
１０６  モーメンタリー情報検知部
１０７  閾値計算部
【図１】
2018056762.tif 000003
【図２】
2018056762.tif 000004